(57)【要約】【課題】尿漏れに因る寝具の汚れやその処理時の汚臭に因る不快感を取り除き精神的不安を解消する、着脱の容易な且つ結合の強固な操作上の自由度の高い簡便な導尿バッグとストマ用畜尿袋の尿漏れ防止の為の固定具を提供すすこと。【解決手段】導尿バッグとストマ用畜尿袋を繋ぐ導尿バッグパイプの中間に設ける、湾曲する固定板の四隅にＵ字状の紐掛けを設け、中央に支持台を介して着脱および回転自在に結合する導尿バッグパイプを挟持する開放筒を設けるとともに、中央に突起する支持柱を有する細曲板に、それぞれ二本の紐を取り付けて、この紐に依り固定することで課題を解決している。【選択図】      図１
2004350745.tif 000002
【特許請求の範囲】
【請求項１】
導尿バッグとストマ用畜尿袋を併用する装置に於いて、両者を繋ぐ導尿バッグパイプの中間で使用し、固定個所を人体下部の大腿部や膝近辺とする、  湾曲する固定板の四隅に設けるＵ字状に近い形状の紐掛けの片側二個所に、一端に取付環を有する二本の固定用紐の前記取付環を掛け、他の二個所のＵ字状紐掛けに前記固定用紐を掛けて、該固定用紐に依り人体に固定し得るようにすると共に、前記固定板の略中央に設ける連結穴部で、導尿バッグパイプを挟持し粘着テ−プ等で固定し、長手方向に切り欠く開口部を設ける開放筒を前記固定板に支持台を介して着脱及び回転自在に接続する固定具と、略中央に突起する支持柱を立設する細曲板の両端に固定環を設け、該固定環に一端を固定する二本の結束紐を逆方向に延長し、該紐に依り、導尿バッグパイプとストマ用畜尿袋の嵌合部を結んで固定する事のできる固定具とから成る導尿バッグとストマ用畜尿袋の尿漏れ防止固定具。
【発明の詳細な説明】
【０００１】
【発明の属する技術分野】
本発明は、導尿バック及びストマ用蓄尿袋の同時使用時に於ける尿漏れ防止を目的とする固定具に関するものである。
【０００２】
【従来の技術】
従来から導尿バッグ使用時の、ストマ用蓄尿袋を人体の腹部に固定し、尿漏れを防止するための  直接ストマの周囲を押さえるバンド等が使用されている。上記、従来公知の固定具にあっては、人体腹部に張り付けて使用するものであり、人体の活動に伴う張力により容易に剥がれて充分に尿漏れを防止出来る物ではなく、以下述べるような固定具に要求される用件を満しているものでは無かった。
１）人体と固定具との取付け及び取外しの容易性
２）固定具と導尿バッグパイプの固定及び取外しの容易性
３）固定具における導尿バッグの保持性
４）固定具における導尿バッグパイプ先端部とストマ用蓄尿袋との結合の強固性
５）固定具の軽量化と操作の容易性
６）固定具の材質及び適正形状
【０００３】
【発明が解決しようとする課題】
従って、本発明における課題は、前記用件を満たし、就寝時等の尿漏れに因る寝具の汚れやその処理或いは汚臭による不快感を取り除き精神的不安を解消する道尿バッグとストマ用畜尿袋の尿漏れ防止の為の固定具を提供することにある。
【０００４】
【課題を解決するための手段】
導尿バッグとストマ用蓄尿袋を併用する装置に於いて、両者を繋ぐ導尿バッグパイプの中間に設ける、固定個所を人体下部の大腿部や膝近辺とする湾曲する固定板の四隅に設けるＵ字状に近い形状の紐掛けの片側二個所に、一端に取付環を有する二本の固定用紐の前記取付環を掛けて取り付け、他の二個所のＵ字状紐掛けに前記固定用紐を掛けて人体の大腿部或いは近辺に巻き付けて固定し得るようにするとともに、前記固定板の略中央に設ける連結穴部で、導尿バッグパイプを挟支し、粘着テ−プなどで固定する、長手方向に一部を切り欠き、導尿バッグパイプがはまる開口部を設ける開放筒を前記固定板に支持台を介して着脱及び回転自在に接続して成る固定具と、ほぼ中央に突起する支持柱を立設する細曲板の両端に固定環を設け、該固定環に一端を固定する結束紐を互いに逆方向に延長し、この紐に依り前記導尿バッグパイプと前記ストマ用畜尿袋の嵌合部を縛って固定して成る固定具を備えている尿漏れ防止固定具として課題を解決するものである。
【０００５】
【発明の実態の形態】
以下、発明の実施形態について、図の実施例に従って詳述する。
図１は、本発明に関わる固定具の使用例を示す概念図であり、導尿バッグ１５とストマ用畜尿袋１４を繋いでいる導尿バッグパイプ８の中間に固定用紐３を有する固定板１を設け、導尿バッグパイプ８とストマ用畜尿袋１４を接続する嵌合部を固定する細曲板１０を設けて成る状態を示している。
【０００６】
図２乃至図４は、固定板１の一実施例を示す構成図である。
湾曲する略四角形の薄い固定板１の四隅にＵ字状の紐掛け３を設け、この紐掛け３の片側二個所に、一端に取付環４を設ける二本の固定用紐２の取付環４を掛けて、固定用紐２を人体の大腿部等に廻して他の片側二個所の紐掛け３に掛けて結び、固定板１を体格に合わせて固定出来るようになっている。
固定板１のほぼ中央に連結穴を穿ち、長手方向に切り欠く開口部を形成する開放筒５を、支持台６を介して前記連結穴でピン７等を通して着脱且つ回転自在に結合させ、導尿バッグパイプ８を開放筒５に填め込み得るように構成するものである。また、この場合に、導尿バッグパイプ８の開放筒５からの離脱を防止するために粘着テ−プ９等で補強することが望ましい。
【０００７】
図５、図６に、細曲板の一実施例を示す。
細長く緩やかに湾曲する平板で形成する細曲板１０は、中央部に突起する支持柱１１を有し、両端部に固定環１２を有するものであり、固定環１２に二本の結束紐１３を互いに逆向きに、それぞれの端部を固定し延長して設けてある。
図６に使用状態を略図で示してあるが、導尿バッグパイプ８とストマ用畜尿袋１４との接続部に於ける嵌合個所を結束紐１３で巻いて支持柱１１に掛けて、嵌合個所に於ける導尿バッグパイプ８の緩み或いは離脱を防止するものである。
【０００８】
上記、図面に示す実施例に従って、本発明の実施形態について説明したが、固定板１の形状は角の有無に関わらず基本的に四角形であり人体の取り付け部に合うように湾曲していればよく、大凡の大きさとして縦横の長さが５０ｍｍ、３０ｍｍ程度のものが標準的となり、また、素材としては金属、非金属を問わず可撓性を有するものが好ましい。更に、開放筒の長さは６０ｍｍ程度が適当であるが、これに限るものでは無く、弾力性を有する素材であればなおよい。
【０００９】
細曲板についても、それほどに大きいものでは無く、縦横の長さは５ｍｍ、３０ｍｍ、厚さ０．５ｍｍ程度が目安となり、突起する支持柱の高さは３．５ｍｍ程度が目安となる。また、湾曲の度合いは接続部の形状に合わせるとよい。
【００１０】
【発明の効果】
本発明においては、固定具を構成する基本的手段が紐に拠ることで、固定の加減を使用者が、体格なり体調によって任意に選択できる自由度が生ずる、と言う最大の利点の外に、課題として掲げた、人体と固定具との取り付け或いは取り外しの容易な事、固定具と導尿バッグパイプとの固定或いは取り外しの容易な事等を十分に解決している特有の効果を有するものである。
【図面の簡単な説明】
【図１】使用例を示す概念図である。
【図２】固定板の外観図である。
【図３】図２の実施例における一側面図である。
【図４】図２の実施例における他の側面図である。
【図５】細曲板の形状を示す側面図である。
【図６】図５に示す細曲板の使用状態図である。
【符号の説明】
１      固定板
２      固定用紐
３      紐掛け
４      取付環
５      開放筒
６      支持台
７      ピン
８      導尿バッグパイプ
９      粘着テ−プ
１０      細曲板
１１      支持柱
１２      固定環
１３      結束紐
１４      ストマ用畜尿袋
１５      導尿バッグ
【図１】
2004350745.tif 000003
【図２】
2004350745.tif 000004
【図３】
2004350745.tif 000005
【図４】
2004350745.tif 000006
【図５】
2004350745.tif 000007
【図６】
2004350745.tif 000008
【手続補正書】
【提出日】平成15年6月6日(2003.6.6)
【手続補正１】
【補正対象書類名】明細書
【補正対象項目名】０００３
【補正方法】変更
【補正の内容】
【０００３】
【発明が解決しようとする課題】
従って、本発明における課題は、前記用件を満たし、就寝時等の尿漏れに因る寝具の汚れやその処理或いは汚臭による不快感を取り除き精神的不安を解消する導尿バッグとストマ用畜尿袋の尿漏れ防止の為の固定具を提供することにある。


【手続補正２】
【補正対象書類名】図面
【補正対象項目名】全図
【補正方法】変更
【補正の内容】
【図１】
2004350745.tif 000009
【図２】
2004350745.tif 000010
【図３】
2004350745.tif 000011
【図４】
2004350745.tif 000012
【図５】
2004350745.tif 000013
【図６】
2004350745.tif 000014